(57)【要約】      （修正有）【課題】天井ボードを１人でも容易に取付可能とした天井ボード仮固定具を使用する際にこれと共に使用してより労力を要することなく簡単かつスピーディにその作業を行うことができる天井ボード補助支持具を提供する。【解決手段】帯状金属を屈曲して、建物天井部の野縁Ｔに交差する桟ｓにこれと交差する方向に揺動可能に係止する係止部２と、係止部２の直下に構成した天井ボードＰの端部を載置する端部載置部３と、端部載置部３の前端から垂下させた、天井ボードＰの端部を端部載置部３に案内するためのスライド案内部４とで構成したものであり、表裏面間を貫通する二つの係止孔を開口した四辺形の基板部２２と、基板部２２の一端に９０度前後の角度で垂下させた補助支持板部２３と、基板部２３の他端から下降傾斜状態に延長させた導入傾斜板部２４とで構成した天井ボード仮固定具２０と共に用いる。【選択図】図２
0003145303.tif 000002
【実用新案登録請求の範囲】
【請求項１】
表裏面間を貫通する１以上の係止孔を開口した四辺形の基板部と、該基板部の一端から垂下させた補助支持板部と、該基板部の他端から下降傾斜状態に延長させた導入傾斜板部と、で構成した天井ボード仮固定具と共に用いる天井ボード補助支持具であって、
建物天井部の野縁に交差する横架材にこれと交差する方向に揺動可能に係止する係止部と、該係止部の直下に構成した天井ボードの端部を載置する端部載置部と、該端部載置部の前端から垂下させた、該天井ボードの端部を該端部載置部に案内するためのスライド案内部とで構成した天井ボード補助支持具。
【請求項２】
前記スライド案内部の最下部に前記天井ボードの端部を一時的に載置するための受け部を構成した請求項１の天井ボード補助支持具。
【請求項３】
前記スライド案内部を、前記端部載置部の前端からその後端側に傾斜した状態で垂下させた請求項１又は２の天井ボード補助支持具。
【請求項４】
前記係止部を、水平状態の金属帯材の一端を下向きに折り曲げた短垂下片と、該金属帯材を該短垂下片の上端から建物天井部の野縁に交差する横架材の幅を越える位置まで延長した天板片と、該金属帯材を該天板片の該短垂下片の上端に対応する端部と反対側の端部から下向きに折り曲げ、前記横架材の厚み及び対象の天井ボードの厚みを加えた寸法を越えて垂下した長垂下片とで構成し、
前記端部載置部を、前記長垂下片を構成する金属帯材の下端を、前記天板片の下方側に、かつ該天板片と平行になるように折曲した水平片に構成し、
前記スライド案内部を、前記端部載置部である天板片を構成する金属帯材の前端を下向きかつ該天板片とこれとが作る内角が鋭角となるように折曲した垂下片に構成した請求項１の天井ボード補助支持具。
【請求項５】
前記スライド案内部の下端に、これを構成する金属帯材を折曲してその前端が前記端部載置部の前端と同じ側に位置するように、受け部を構成した請求項４の天井ボード補助支持具。
【考案の詳細な説明】
【技術分野】
【０００１】
本考案は、作業者が天井ボードを単独で取り付けるために使用する天井ボード仮固定具と共に用いて、一層単独での天井ボードの取付を容易にし、更にその際に他の何らかの作業のために一時的な天井ボードの支持を可能にする天井ボード補助支持具に関する。
【背景技術】
【０００２】
建物の天井部には、通常、多数の天井ボードを取り付ける必要があるが、その取り付け作業時には該天井ボードを下方から重力に逆らって取り付けることを余儀なくされると共に、若干高所作業でもあり、効率が悪く、危険を伴う作業ともなっている。天井ボードは、例えば、梁から吊木により懸架した野縁受に取り付けた野縁に接合状態に配置され、これらの野縁と重なる部位の随所にビス等をねじ込んで固定される。なお、このような天井ボードは、防音や断熱強化等の必要から場合によっては二重に重ねて取り付けられることもある。
【０００３】
床と同様に、天井の形状やサイズは様々であるが、通常、複数の天井ボードを順次張り合わせて計画に従った形状の天井を構成する。このような天井を構成する単位部材である天井ボードは、吸音性や断熱性等の観点から木板に限らず石膏ボードその他の種々の材質の部材も採用されており、多様である。また天井ボードは、サイズの面でも一律ではないが、多くは床板のようには強度を要求されない比較的薄い板材であり、若干大判のそれも多用されている。そのため、単独でその取り付け作業を行うことは困難であり、通常取り付けようとする天井ボードの一端側を一人の作業者が、他端を他の作業者が、それぞれ支持することになっているが、このような作業態様は作業コスト増大の要因となっている。
【０００４】
そこで、以上のような問題の解決のために、天井ボードを一次固定する天井ボード仮固定具が提案されている。第１例は、天井桟に係止して天井ボードの一端を仮保持するボード支持具である（特許文献１）。第２例は、野縁に係止して天井ボードの側部を仮保持する取付治具である（特許文献２）。第３例は、２種類の適用個所によって使い分ける固定金具を用いる天井ボード固定具である（特許文献３）。第４例は、前面が開放し側面がコ形状で上面が上下動可能な天井ボード張り用補助具及び補助金具である（特許文献４）。
【０００５】
作業者は、以上に説明した天井ボード仮固定具を、それぞれ取り付けようとする天井ボードの一方の端部に近い野縁や桟に取り付け、続いて該天井ボードを持上げ、前記天井ボード仮固定具に該天井ボードの一方の端部を係止し、その上で、該天井ボードを前記野縁にビス等で固定する手順で作業を行うことができる。したがってこれらの天井ボード仮固定具を使用すれば、作業者が単独でも天井ボードを取り付けることができることは確かである。
【０００６】
しかし、以上の各例の仮固定具は、以下のような種々の懸念がある。即ち、それぞれ天井部の野縁や桟に係合して用いるものであるため、例えば、同一の野縁を隣接する天井ボードで共用する場合など、対応不能又は対応困難な事態も起り得る。また、野縁のサイズも必ずしも一律ではないので、野縁のサイズに応じたものを用意する必要がある。また特許文献３の天井ボード固定具のように天井ボードを取り付けた後に、その取り外しが困難乃至不可能なものもある。この場合には、野縁と天井ボードとの間に残った該固定具の一部が該天井ボード下面に凹凸を生じさせ、隣接する天井ボード間に残った該固定具の一部が該部位に隙間を生じさせる等の問題を発生させる虞もある。
【０００７】
そこでこれらの問題を解決し、天井ボードを単独でも容易かつ効率的に取付可能な使い勝手の良い、かつ構成の簡単な天井ボード仮固定具を提供するとの観点から、本件出願人は、「表裏面間を貫通する１以上の係止孔を開口した四辺形の基板部と、該基板部の一端に９０度前後の角度で垂下させた補助支持板部と、該基板部の他端から下降傾斜状態に延長させた導入傾斜板部と、で構成した天井ボード仮固定具」を提案した（特許文献５）。
【０００８】
この特許文献５の技術は、非常に優れたものであり、これ自体には何の問題もない、と考える。しかし本件出願人は、更にその使い勝手をより一層良好にし、かつこれを用いて天井ボードを取り付ける際に、更に何らかの他の作業を要する場合の天井ボードの一時保持等も可能とする手段を提供すればより好都合であると考えるに至った。
【０００９】
【特許文献１】特開２００１−３４８９９１号公報
【特許文献２】特開２０００−１１０２９９号公報
【特許文献３】登録実用新案第３０２８１０８号公報
【特許文献４】登録実用新案第３０１９３０５号公報
【特許文献５】特開２００５−２９９３３８号公報
【考案の開示】
【考案が解決しようとする課題】
【００１０】
本考案は、以上の特許文献５の天井ボード仮固定具と共に用いる天井ボード補助支持具であって、天井ボード仮固定具を使用して天井ボードの取付作業を行うに際してより労力を要することなく簡単かつスピーディにその作業を行うことができる天井ボード補助支持具を提供することを解決の課題とするものである。
【課題を解決するための手段】
【００１１】
本考案の１は、表裏面間を貫通する１以上の係止孔を開口した四辺形の基板部と、該基板部の一端から垂下させた補助支持板部と、該基板部の他端から下降傾斜状態に延長させた導入傾斜板部と、で構成した天井ボード仮固定具と共に用いる天井ボード補助支持具であって、
建物天井部の野縁に交差する横架材にこれと交差する方向に揺動可能に係止する係止部と、該係止部の直下に構成した天井ボードの端部を載置する端部載置部と、該端部載置部の前端から垂下させた、該天井ボードの端部を該端部載置部に案内するためのスライド案内部とで構成した天井ボード補助支持具である。
【００１２】
本考案の２は、本考案の１の天井ボード補助支持具に於いて、前記スライド案内部の最下部に前記天井ボードの端部を一時的に載置するための受け部を構成したものである。
【００１３】
本考案の３は、本考案の１又は２の天井ボード補助支持具に於いて、前記スライド案内部を、前記端部載置部の前端からその後端側に傾斜した状態で垂下させたものである。
【００１４】
本考案の４は、本考案の１の天井ボード補助支持具に於いて、前記係止部を、水平状態の金属帯材の一端を下向きに折り曲げた短垂下片と、該金属帯材を該短垂下片の上端から建物天井部の野縁に交差する横架材の幅を越える位置まで延長した天板片と、該金属帯材を該天板片の該短垂下片の上端に対応する端部と反対側の端部から下向きに折り曲げ、前記横架材の厚み及び対象の天井ボードの厚みを加えた寸法を越えて垂下した長垂下片とで構成し、
前記端部載置部を、前記長垂下片を構成する金属帯材の下端を、前記天板片の下方側に、かつ該天板片と平行になるように折曲した水平片に構成し、
前記スライド案内部を、前記端部載置部である天板片を構成する金属帯材の前端を下向きかつ該天板片とこれとが作る内角が鋭角となるように折曲した垂下片に構成したものである。
【００１５】
本考案の５は、本考案の４の天井ボード補助支持具に於いて、前記スライド案内部の下端に、これを構成する金属帯材を折曲してその前端が前記端部載置部の前端と同じ側に位置するように、受け部を構成したものである。
【考案の効果】
【００１６】
本考案の１の天井ボード補助支持具によれば、前記天井ボード仮固定具を用いて天井ボードを取り付ける際に、一方の端部を該天井ボード仮固定具で支持した際に、他方の端部をこれによって支持可能であり、天井ボードの取付作業がより容易になる。
より詳しく述べると、天井ボードの取り付け作業時に、作業者が支持している部位に対してより遠い方の端部を一個以上の天井ボード仮固定具を利用してその導入傾斜板部に載置して支持させ、次いで、作業者に近い方の端部を本考案の１の天井ボード補助支持具の端部載置部に載せて該天井ボードの野縁への固定作業を行うことができる。この状態では、天井ボードは、その上面が完全には野縁に接していないが、極めて近接した状態にあり、かつ作業者は、このとき、単独での作業であっても両手がフリーの状態にあるため、僅かに該天井ボードを押上ながら容易に野縁への取付作業を行うことができる。
【００１７】
本考案の２の天井ボード補助支持具によれば、天井ボードの一端を前記天井ボード仮固定具の導入傾斜板部に支持させた場合に、他端を前記受け部を利用して若干低い位置に一時的に載置して支持することができる。或いは、その逆に、天井ボードの一端を先に本考案の２の天井ボード補助支持具の受け部に載せた上で、他端を天井ボード仮固定具の導入傾斜板部に載置することとすることも可能である。この場合は、他端を該導入傾斜板部に挿入する際に一時的に該天井ボードを該天井ボード補助支持具側に引く必要が生じるが、がい天井ボード補助支持具はその方向に揺動可能であるから、これに関して不都合は生じない。このような天井ボードの該当する端部の天井ボード補助支持具の受け部への載置状態の必要が無くなれば、単に当該端部側を押し上げるのみで、該端部はスライド案内部をスライドしてその上部の端部載置部に移動し、その上に載置状態にすることができる。この状態からの該天井ボードの野縁への取付は先に述べたとおりである。
【００１８】
本考案の３の天井ボード補助支持具によれば、他端を前記天井ボード仮固定具の導入傾斜板部に支持させた天井ボードを、最上部の端部載置部に載せようとした場合に、導入傾斜板部に載っている他端部を回転中心にして回転する如くに該当する端部側を持ち上げると、該当する端部は、そのスライド案内部の下端の前面側に、それが当接することとなるように動かす操作をするまでもなく、その前面側に当接し、該天井ボード補助支持具をそれが係止している横架材を中心に回動（揺動）させながらスライド上昇し、端部載置部の高さに上昇すると、該天井ボード補助支持具の戻り回動（戻り揺動）に伴って、該端部載置部に載置状態となるものである。スライド案内部の下端に受け部が構成してある場合は、一端を前記天井ボード仮固定具の導入傾斜板部に載置した天井ボードの他端部を、後方回動状態にならない状態でその受け部に載置することが可能になる。
【００１９】
本考案の４の天井ボード補助支持具によれば、本考案の１の天井ボード補助支持具の構成を一枚の金属帯材を適切に折曲することにより簡単に構成することができ、全く同様に使用することができる。
【００２０】
本考案の５の天井ボード補助支持具によれば、金属帯材を折曲して簡単に受け部を有するそれを構成することが可能であり、本考案の４と全く同様に使用することができる。
【考案を実施するための最良の形態】
【００２１】
本考案の天井ボード補助支持具は、建物天井部の野縁に交差する横架材にこれと交差する方向に揺動可能に係止する係止部と、該係止部の直下に構成した天井ボードの端部を載置する端部載置部と、該端部載置部の前端から垂下させた、該天井ボードの端部を該端部載置部に案内するためのスライド案内部とで構成したものであり、表裏面間を貫通する１以上の係止孔を開口した四辺形の基板部と、該基板部の一端に９０度前後の角度で垂下させた補助支持板部と、該基板部の他端から下降傾斜状態に延長させた導入傾斜板部と、で構成した天井ボード仮固定具と共に用いるものである。
【００２２】
この天井ボード補助支持具の係止部と端部載置部とスライド案内部とは、帯状の金属部材を屈曲して一体に構成することができる。
【００２３】
例えば、水平状態の帯状の金属部材の端部を下向きに屈曲して短い短垂下片を形成し、該屈曲した部位から前記係止対象の横架材の幅を若干越える幅寸法だけ離間した部位を同様に下方に屈曲して長い長垂下片を形成する。該短垂下片と該長垂下片の上端間を繋ぐ部分は天板片であり、これらの短垂下片、天板片及び長垂下片が前記係止部を構成する。長垂下片は、前記係止対象の横架材の高さ寸法及び載置対象の天井ボードの厚み寸法の合計寸法を若干越えた垂下寸法とし、その下端から上方に前記天板片が位置する側に該天板片と平行になるように屈曲し、こうして形成された該天板片と平行に延びる水平片を前記端部載置部とする。天井ボードの端部を載せる端部載置部であるこの水平片は、概ね前記短垂下片の垂直下方に位置するところまで延長し、この位置でまた屈曲して垂下させる。この垂下片は、前記スライド案内部を構成するものである。
【００２４】
以上のように、本考案の天井ボード補助支持具は、帯状の金属部材を屈曲して構成することができる。もっとも本考案の天井ボード補助支持具は、以上のような帯状の金属部材を用いて作成するほか、プラスチック類を成形して構成することもできる。
【００２５】
なお、前記スライド案内部を構成する垂下片は、前記端部載置部を構成する水平片の先端を直角に屈曲して垂下させた構成にしても良いが、この垂下片と該端部載置部を構成する水平片とが作る内角が鋭角になるように、即ち、該水平片の後端側に向かって傾いた後方傾斜垂下片になるように構成するのが好ましい。
【００２６】
また以上のスライド案内部の下端には、前記天井ボードの端部を一時的に載置するための受け部を構成するのが好ましい。これは、以上のように、帯状の金属部材で構成する場合は、該スライド案内部を構成する垂下片の下端を、前記端部載置部を構成する水平片の先端側と同じ方向に屈曲して構成する。この受け部は、前記端部載置部を構成する水平片と平行又はその先端側が僅かに高くなる傾斜状態に構成する。
【００２７】
なお、この天井ボード補助支持具と共に用いる天井ボード仮固定具を略述すると次の通りである。
これは、先に述べたように、基本的に、係止孔を開口した基板部と、その一端に構成した補助支持板部と、該基板部の他端から延長した導入傾斜板部とで構成したものである。
【００２８】
前記基板部は、基本的には、平面から見て四辺形の板状部材であり、金属帯状部材を採用する。サイズは使用者の都合によって種々自由に決定することができる。なお必要な強度等が確保できればこの基板部の材質は金属に限らない。
【００２９】
前記係止孔は、ビスや木ねじ等の係止手段をこれを通じて仮止め対象にねじ込んで固定する際に使用する孔要素である。この天井ボード仮固定具の仮止めは、天井ボードを固定するためにビス等をねじ込む予定の部位を利用してビス等によって行うものとし、そのため、該係止孔は、仮固定対象の天井ボード用のビス等を使用できる寸法の孔として構成しておく。
【００３０】
前記補助支持板部は、該基板部の一端からほぼ９０度の角度で垂下させた構成要素であり、該基板部の該当する端部に接合して構成することも可能であるが、該当する部位を折り曲げて構成するのが適当である。この補助支持板部は、壁に接する部位から天井ボードの取付作業を開始する際に、この部位を上にし、かつこの部位の上に対象となる天井ボードの厚みを僅かに越える隙間を空けた上で、これを備えた天井ボード仮固定具を壁面に仮止めして使用する部位であり、その上に挿入した天井ボードを一時的に支持するものであるから、その目的を達成できる適当な寸法に構成する。
【００３１】
前記導入傾斜板部は、前記したように、前記基板部の補助支持板部と反対側の端部から下降傾斜状態に延長させた構成要素である。下降傾斜の角度は、その端部側から該基板部の上に対象の天井ボードの一端を装入する際に該一端部を良好に案内できる程度に設定すれば良い。
【００３２】
前記基板部には、その下面から垂下するフックを構成することができる。該フックの形状は、一般的に使用される概ね釣り針形のそれが適当であるが、その軸状の基部は、そのフック部に種々の工具類を係止する際に、相互の干渉を生じにくくする趣旨で、前記補助支持板部の垂下長さより充分に長くするのが適当である。
【００３３】
また前記基板部には、以上の構成要素のほかに、補助的な要素を付与することも可能である。
【００３４】
従って本考案の天井ボード補助支持具は、以上の天井ボード仮固定具と共に、以下のように使用することができる。
【００３５】
まず初めに天井ボード仮固定具の用法を略述する。
該天井ボード仮固定具を、取付開始側の壁面上部に、前記補助支持板部側が上方になるように向きを定めて仮止めする。この仮止めは基板部に開口してある係止孔を通じてビス等をねじ込むことにより行う。このとき、該補助支持板部の上面と天井ボードの支持材である野縁等との間隙は、該天井ボードの厚みよりも僅かに広くあけておくこととする。該天井ボードの幅の広さに応じて複数の個所で支持し得るように、該壁面上部の複数の箇所に天井ボード仮固定具を取り付けるのが好ましい。
【００３６】
次に、天井ボードを持ち上げ、その一端を壁面に取り付けた天井ボード仮固定具の補助支持板部の上に挿入載置する。該補助支持板部の先端を基板部側に斜めに折曲げて導入部に構成しておけば、該天井ボードの該当端部が撓むなどにより若干下ったりしていても、該当端部は容易にその導入部に案内され、容易に前記壁面に当接するまで押し込むことができる。
【００３７】
この後、例えば、電動ドライバを用いて該天井ボードの野縁と重なる部分を順次ビスで固定する。壁面から離れた部位からビス止めを開始するのが適当である。該天井ボードを該壁面と反対側となる端部付近の一部を残して一通り固定した後、或いは、その他の適当な段階で、新たな天井ボード仮固定具を、該天井ボードの前記壁面とは反対側の端部に重ねて仮止めする。この仮止めは、その導入傾斜板部を該壁面とは逆方向に向け、かつ基板部の一部及び該導入傾斜板部を該天井ボードから突き出した状態で行う。
【００３８】
次の天井ボードの取付作業は、前記したのと同様に、作業者は新たな天井ボードを持ち上げ、その一端部を、先行して取り付けた天井ボードの壁面と反対側の端部に仮止めした天井ボード仮固定具に支持させる。この支持は、該一端部を、該天井ボード仮固定具の導入傾斜板部から基板部の一部まで押し込み挿入し、該端部をその上に載置することで行う。この後は、先に述べたのと同様に、一端部を該天井ボード仮固定具に支持させながら、前記電動ドライバを利用して所要部位のビス止めを行う。その後、前記したのと同様に、適当な段階で、現在の対象の天井ボードの反対側端部に他の天井ボード仮固定具を、先に仮止めしたそれと同様の態様で仮止めする。
【００３９】
以後、同様の作業サイクルを繰返して順次天井の必要な全領域に天井ボードを固設することができる。
【００４０】
なお仮止めした天井ボード仮固定具は、ビス等による天井ボードの固定が確保できた後のいずれの段階でもこれを取り外すことができる。なるべく早い段階で外すこととすれば、天井ボード取付作業中にこれを繰り返し使用することが可能となり、用意すべき天井ボード仮固定具の数を少なくすることができる。天井ボード仮固定具を取り外した後は、その仮止め用のビス孔に当該の天井ボード固定用のビスをねじ込み、その固定のために利用すれば天井ボードに無用な孔が残ることはない。
【００４１】
本考案の天井ボード補助支持具は、以上のように、天井ボード仮固定具を用いて天井ボードを取り付ける際に、一方の端部を該天井ボード仮固定具で支持した際に、他方の端部をこれによって支持することにより一層容易に天井ボードの取付作業を行えるようにしたものである。
【００４２】
これを順を追って説明すると、前記のように、まず天井ボード仮固定具を、取付開始側の壁面上部に、前記補助支持板部側が上方になるように向きを定めて仮止めする。この天井ボード仮固定具は、該天井ボードの幅の広さに応じて複数の個所で支持し得るように該壁面上部の複数の箇所に取り付ける。これに前後して、天井ボード補助支持具を、該壁面から天井ボード一枚分の距離にある桟等の横架材にその係止部を利用して係止しておくことにする。当然、このとき該天井ボード補助支持具は、その端部載置部の前端が前記壁面側を向くようにしておく。
【００４３】
この後、作業者は天井ボードを持ち上げ、該天井ボードの作業者が掴んでいる部位からより遠い方の端部を、前記のようにして壁面に取り付けた天井ボード仮固定具の補助支持板部の上に挿入載置する。該天井ボードは、該補助支持板部の上に挿入載置した端部を前記壁面に当接するまで押し込む。この後、該天井ボードの他端は、前記のように、桟等の横架材に係止した天井ボード補助支持具の端部載置部に載置する。端部載置部にはその前端からスライド案内部が垂下構成してあるため、単に該天井ボードの他端を引き上げるだけで、該他端は、該スライド案内部の前面をスライドしながら端部載置部に案内されることになる。このとき、該天井ボード補助支持具は、その上部の係止部が係止した横架材を中心に揺動（回動）して、該天井ボードの他端のスライド上昇を許容し、該他端が端部載置部の高さまで上昇すると、該天井ボード補助支持具は復帰揺動し、その端部載置部に該天井ボードの他端が載置することが可能になる。
【００４４】
以上の天井ボードの他端のスライド案内部に接してのスライド上昇は、該スライド案内部とその直上の端部載置部とが作る内角が鋭角に構成してあることにより、天井ボードの他端が引き上げの最初から該スライド案内部の前面に当接可能であるため、非常にスムーズに行うことが可能になる。
【００４５】
なお、天井ボード補助支持具のスライド案内部の下端に受け部を構成したそれを使用した場合は、天井ボード仮固定具の補助支持板部に天井ボードの一端を載置し、その後、一時、該受け部に他端を載せ、次いで、該他端をスライド案内部をスライドさせて、上昇させ、端部載置部に載せる手順で作業を行うことができる。或いは、逆に、該受け部に先に天井ボードの他端を載せ、他端側を安定させた上で、その後、天井ボード仮固定具の補助支持板部に一端側を載せ、更にその後に、受け部に載っている他端をスライド案内部をスライド上昇させて端部載置部に載せるという手順を取ることもできる。
【００４６】
この後は、以上のように天井ボード仮固定具の補助支持板部及び天井ボード補助支持具の端部載置部に載って支持されている天井ボードを、例えば、電動ドライバを用いてビスをねじ込み野縁に固定する。以上の状態では、天井ボードは、僅かに野縁から離間している程度なので、作業者はこれを僅かに押し上げてビス止めをすれば良い。従って作業者の作業に要する力が軽減され、それだけ、楽に、正確にかつスピーディに作業を行うことができることになる。なお、ビス止めは、天井ボードの野縁と重なる部分に行うのは云うまでもない。
【００４７】
以上のビス止めを、該天井ボードを該壁面と反対側となる端部付近の一部を残して一通り固定した後、或いは、その他の適当な段階で、新たな天井ボード仮固定具を、該天井ボードの前記壁面とは反対側の端部に重ねて仮止めする。この仮止めは、その導入傾斜板部を該壁面とは逆方向に向け、かつ基板部の一部及び該導入傾斜板部を該天井ボードから突き出した状態で行う。
【００４８】
更に、これに前後して、桟等に係止してあった天井ボード補助支持具を取り外して、直前に取り付けた天井ボードの端部から、これから取り付ける側の天井ボード一枚分の距離にある他の桟等の横架材にその係止部を利用して係止しておくことにする。当然、このときこの天井ボード補助支持具は、その端部載置部の前端が前記壁面側を向くようにしておく。
【００４９】
次の天井ボードの取付作業では、作業者は新たな天井ボードを持ち上げ、その一端部を、先行して取り付けた天井ボードの壁面と反対側の端部に仮止めした天井ボード仮固定具に支持させる。この支持は、該一端部を、該天井ボード仮固定具の導入傾斜板部から基板部の一部まで押し込み挿入し、該端部をその上に載置することで行う。次いで該天井ボードの他端を、前記したのと同様に引き上げて、天井ボード補助支持具の端部載置部に載置する。同様にスライド案内部をスライド上昇して容易に端部載置部に載置状態とすることができる訳である。
【００５０】
以上の天井ボードの他端のスライド案内部に接してのスライド上昇は、該スライド案内部とその直上の端部載置部とが作る内角が鋭角に構成してあることにより、天井ボードの他端が引き上げの最初から該スライド案内部の前面に当接可能であり、非常にスムーズに行うことが可能になるのは、先に述べたとおりである。
【００５１】
なお、この場合も、天井ボード補助支持具として、そのスライド案内部の下端に受け部を構成したそれを使用した場合は、天井ボード仮固定具の導入傾斜板部から基板部の一部に天井ボードの一端を載置し、その後、一時、該受け部に他端を載せ、次いで、該他端をスライド案内部をスライドさせて、上昇させ、端部載置部に載せる手順で作業を行うことができる。或いは、逆に、該受け部に先に天井ボードの他端を載せ、他端側を安定させた上で、その後、天井ボード仮固定具の導入傾斜板部から基板部の一部に一端側を載せ、更にその後に、受け部に載っている他端をスライド案内部をスライド上昇させて端部載置部に載せるという手順を取ることもできる。
【００５２】
この後は、以上のように天井ボード仮固定具の導入傾斜板部から基板部の一部及び天井ボード補助支持具の端部載置部に載って支持されている天井ボードを、例えば、電動ドライバを用いてビスをねじ込み野縁に固定する。以上の状態では、天井ボードは、僅かに野縁から離間している程度なので、作業者はこれを僅かに押し上げてビス止めをすれば良い訳である。従って作業者の作業に要する力が軽減され、それだけ、楽に、正確にかつスピーディに作業を行うことができることになる。
【００５３】
以上のビス止めを、該天井ボードを前記壁面と反対側となる端部付近の一部を残して一通り固定した後、或いは、その他の適当な段階で、新たな天井ボード仮固定具を、該天井ボードの前記壁面とは反対側の端部に重ねて仮止めする。この仮止めは、その導入傾斜板部を該壁面とは逆方向に向け、かつ基板部の一部及び該導入傾斜板部を該天井ボードから突き出した状態で行う。またこれに前後して、天井ボード補助支持具を、直前に固定した天井ボードの天井ボード仮固定具を仮止めした端部から天井ボード一枚分の距離にある桟等の横架材にその係止部を利用して係止しておくことにする。当然、このとき該天井ボード補助支持具は、その端部載置部の前端が直前に固定した天井ボード側を向くようにしておく。
【００５４】
以後は、同様の作業サイクルを繰返して順次天井の必要な全領域に天井ボードを固設することができる。
【実施例１】
【００５５】
この実施例１の天井ボード補助支持具１は、図１(a)〜(c)に示すように、帯状金属を屈曲して構成したものあり、建物天井部の野縁に交差する桟ｓ等の横架材にこれと交差する方向に揺動可能に係止する係止部２と、該係止部２の直下に構成した天井ボードＰの端部を載置する端部載置部３と、該端部載置部３の前端から垂下させた、該天井ボードＰの端部を該端部載置部３に案内するためのスライド案内部４とで構成したものであり、表裏面間を貫通する１以上の係止孔２１を開口した四辺形の基板部２２と、該基板部２２の一端に９０度前後の角度で垂下させた補助支持板部２３と、該基板部２３の他端から下降傾斜状態に延長させた導入傾斜板部２４と、で構成した天井ボード仮固定具２０と共に用いるものである。
【００５６】
前記係止部２は、図１(a)〜(c)に示すように、水平状態の帯状金属の一端を下向きに屈曲して短い短垂下片２ａを形成し、該屈曲した部位から前記係止対象の横架材である桟ｓの幅を若干越える幅寸法だけ離間した部位を同様に下方に屈曲して長い長垂下片２ｂを形成して、側面から見てほぼ７の字形に構成する。なお、該短垂下片２ａと該長垂下片２ｂの上端間を繋ぐ部分は天板片２ｃであり、これらの短垂下片２ａ、天板片２ｃ及び長垂下片２ｂで構成する。該長垂下片２ｂは、前記係止対象の横架材である桟ｓの高さ寸法及び載置対象の天井ボードＰの厚み寸法の合計寸法を若干越えた垂下寸法とする。
【００５７】
前記端部載置部３は、同図に示すように、前記係止部２の長垂下片２ｂの下端をその上方に前記天板片２ｃが位置する側に屈曲し、かつ該天板片２ｃと平行になるように延長して構成する。該端部載置部３の先端は、前記係止部２の短垂下片２ａと上下ほぼ一致する付近に位置するものとする。
【００５８】
前記スライド案内部４は、同図に示すように、端部載置部３の先端、即ち、前記係止部２の短垂下片２ａとほぼ上下一致する付近から屈曲して垂下構成する。このスライド案内部４の屈曲角、即ち、該スライド案内部４と端部載置部３との作る内角は、この実施例１では鋭角になるように設定した。具体的には、約６０度に設定した。
【００５９】
以上の天井ボード補助支持具１と共に用いる天井ボード仮固定具２０は、先に述べた通りであるが、更に若干説明すると以下の通りである。
【００６０】
前記し、かつ図５(a)〜(c)及び図６(a)、(b)に示すように、天井ボード仮固定具２０は、二つの係止孔２１を開口した細長長方形の基板部２２と、その一端に垂下させた補助支持板部２３と、該基板部２２の他端から下降傾斜状態に延長させた導入傾斜板部２４と、で構成したものであり、該基板部２２の中央には更にフック２５が垂下させてある。
【００６１】
前記フック２５は、同図に示すように、前記基板部２２の中央部にその軸状の基部を溶接固定して配したものである。その下端のフック部は、同図に示すように、該補助支持板部２３側に向けて半円弧状に丸めて構成したものである。
【００６２】
前記基板部２２は、細長の帯状金属部材で構成したものであり、前記補助支持板部２３は、その一端を９０度に折り曲げて垂下させ、更にその先端を前記フック２５側に若干傾けて導入部２３ａに構成し、また前記導入傾斜板部２４は、他端側を２０度ほどの角度に折り曲げて下降傾斜状態に構成したものである。こうして基板部２２と補助支持板部２３と導入傾斜板部２４とは同一の帯状金属部材で一体に構成したものである。
【００６３】
従ってこの実施例１の天井ボード補助支持具は、以上の天井ボード仮固定具２０を使用して天井ボードの取り付けを行う際に以下のように有用に使用することができる。
【００６４】
まず天井ボード仮固定具２０を、図２(a)及び図５(a)、(b)に示すように、取付開始側の壁面ｗの上部に、前記補助支持板部２３側が上方になるように向きを定めて仮止めする。なお、該補助支持板部２３の上面と野縁Ｔの下面との間には、取付対象の天井ボードＰの厚みを若干越える隙間を空ける。このとき、この仮止めは、前記係止孔２１、２１を通じて壁面ｗにビスｖ、ｖをねじ込むことによって行う。この天井ボード仮固定具２０は、取付対象の天井ボードＰ、Ｐ…の幅の広さに応じてこれを複数の個所で支持し得るように該壁面ｗ上部の複数の箇所に取り付ける。
【００６５】
また、これに前後して、天井ボード補助支持具１を、図２(a)に示すように、該壁面ｗから取付対象の天井ボードＰ一枚分の距離にある桟ｓにその係止部２を利用して係止しておく。当然、このとき該天井ボード補助支持具１は、その端部載置部３の前端が前記壁面ｗ側を向くようにする。
【００６６】
この後、作業者は天井ボードＰを持ち上げ、該天井ボードＰの作業者が掴んでいる部位からより遠い方の端部を、図５(b)及び図２(a)に示すように、壁面ｗに仮止めした天井ボード仮固定具２０の補助支持板部２３の上に挿入載置する。該天井ボードＰは、該補助支持板部２３の上に挿入載置した端部を前記壁面ｗに当接するまで押し込む。この後、該天井ボードＰの他端は、図２(a)、(c)、(d)に示すように、桟ｓに係止した天井ボード補助支持具１の端部載置部３に載置する。該端部載置部３にはその前端からスライド案内部４が垂下構成してあり、かつ該スライド案内部４と該端部載置部３とが作る内角が鋭角に構成してあるため、該天井ボードＰの他端は、特別の操作をしなくても、最初から該スライド案内部４の前面に接触することとなり、単に該天井ボードＰの他端を引き上げるだけで、該他端は、該スライド案内部４の前面をスライドしながら端部載置部３に案内されることになる。
【００６７】
このとき、該天井ボード補助支持具１は、該天井ボードＰの他端の引き上げに伴って、同図に示すように、その上部の係止部２が係止した桟ｓを中心に回動揺動して、該天井ボードＰの他端のスライド上昇を許容し、該他端が端部載置部３の高さまで上昇すると、該天井ボード補助支持具１は復帰揺動することとなり、その端部載置部３に該天井ボードＰの他端が載置することになる。
【００６８】
この後は、以上のように天井ボード仮固定具２０の補助支持板部２３及び天井ボード補助支持具１の端部載置部３に載って支持されている天井ボードＰを、例えば、電動ドライバＤを用いてビスｖをねじ込み野縁Ｔに固定する。以上の状態では、天井ボードＰは、僅かに野縁Ｔから離間している程度なので、作業者はこれを僅かに押し上げてビス止めをすれば良い。従って作業者の作業に要する力が軽減され、それだけ、楽に、正確にかつスピーディに天井ボードＰの取付作業を行うことができることになる。
【００６９】
以上のビス止めを、該天井ボードＰの該壁面ｗと反対側となる端部付近の一部を残して一通り固定した後、或いは、その他の適当な段階で、新たな天井ボード仮固定具２０を、該天井ボードＰの前記壁面ｗとは反対側の端部に重ねて仮止めする。この仮止めは、その導入傾斜板部２４を該壁面ｗとは逆方向に向け、かつ基板部２２の一部及び該導入傾斜板部２４を該天井ボードＰから突き出した状態で行う。またこの仮止めは、該天井ボード仮固定具２０を、その係止孔２１、２１が、固定した天井ボードＰの一部のビス止めを残したビス止め用の孔、若しくは、ビス止めを行うべき部位に重なるようにしておき、その係止孔２１、２１を通じて野縁Ｔにビスｖ、ｖをねじ込むことによって行う。
【００７０】
更に、これに前後して、直前に固定した天井ボードＰの先端の桟ｓに係止してあった天井ボード補助支持具１を取り外し、その桟ｓから天井ボードＰ一枚分の距離にある他の桟ｓにその係止部２を利用して係止しておく。このときこの天井ボード補助支持具１は、その端部載置部３の前端が直前に取り付けた天井ボードＰ側を向くようにしておくのは云うまでもない。
【００７１】
次の天井ボードＰの取付作業では、作業者は新たな天井ボードＰを持ち上げ、図２(b)及び図５(c)に示すように、その一端部を、先行して取り付けた天井ボードＰの壁面ｗと反対側の端部に仮止めした天井ボード仮固定具２０に支持させる。この支持は、該一端部を、該天井ボード仮固定具２０の導入傾斜板部２４から基板部２２の一部まで押し込み挿入し、該端部をその上に載置することで行う。次いで該天井ボードＰの他端を、図２(c)、(d)に示すように、前記したのと同様に引き上げて、天井ボード補助支持具１の端部載置部３に載置する。前記したのと同様に、スライド案内部４をスライド上昇して容易に端部載置部３に載置状態とすることができる。
【００７２】
以上の天井ボードＰの他端のスライド案内部４に接してのスライド上昇は、前記したように、該スライド案内部４とその直上の端部載置部３とが作る内角が鋭角に構成してあることにより、天井ボードＰの他端が引き上げの最初から該スライド案内部４の前面に当接可能であり、非常にスムーズに行うことが可能になる。
【００７３】
この後は、以上のように天井ボード仮固定具２０の導入傾斜板部２４から基板部２２の一部及び天井ボード補助支持具１の端部載置部３に載って支持されている天井ボードＰを、例えば、電動ドライバＤを用いてビスｖをねじ込み野縁Ｔに固定する。以上の状態では、天井ボードＰは、僅かに野縁Ｔから離間している程度なので、作業者はこれを僅かに押し上げてビス止めをすれば良い訳である。従って作業者の作業に要する力が軽減され、それだけ、楽に、正確にかつスピーディに作業を行うことができることになる。
【００７４】
以上のビス止めを、該天井ボードＰを前記壁面ｗと反対側となる端部付近の一部を残して一通り固定した後、或いは、その他の適当な段階で、前記したのと同様に、新たな天井ボード仮固定具２０を、該天井ボードＰの前記壁面ｗとは反対側の端部に重ねて仮止めする。この仮止めは、これも先に述べたように、その導入傾斜板部２４を該壁面ｗとは逆方向に向け、かつ基板部２２の一部及び該導入傾斜板部２４を該天井ボードＰから突き出した状態で行う。またこれに前後して、天井ボード補助支持具１を、直前に固定した天井ボードＰの天井ボード仮固定具２０を仮止めした端部から天井ボードＰ一枚分の距離にある桟ｓにその係止部２を利用して係止しておくことにする。当然、このとき該天井ボード補助支持具１は、その端部載置部３の前端が直前に固定した天井ボードＰ側を向くようにしておく。
【００７５】
以後は、同様の作業サイクルを繰返して順次天井の必要な全領域に天井ボードＰ、Ｐ…を固設することができる。
【実施例２】
【００７６】
この実施例２の天井ボード補助支持具１１は、図３(a)〜(c)及び図４(a)〜(c)に示すように、帯状金属を屈曲して構成したものあり、建物天井部の野縁Ｔに交差する桟ｓ等の横架材にこれと交差する方向に揺動可能に係止する係止部１２と、該係止部１２の直下に構成した天井ボードＰの端部を載置する端部載置部１３と、該端部載置部１３の前端から垂下させた、該天井ボードＰの端部を該端部載置部１３に案内するためのスライド案内部１４と、該スライド案内部１４の下端には、前記天井ボードＰの端部を一時的に載置するための受け部１５を構成する。こ受け部１５は、該スライド案内部１４を構成する垂下片の下端を、前記端部載置部１３を構成する水平片の先端側と同じ方向に屈曲して構成する。この受け部１５は、その先端側が僅かに高くなる傾斜状態に構成する。
【００７７】
この実施例２の天井ボード補助支持具１１は、実施例１の天井ボード補助支持具１と同様に、先に説明した天井ボード仮固定具２０と共に用いる。
【００７８】
この実施例２の天井ボード補助支持具１１の用法は、実施例１の天井ボード補助支持具１と殆ど同様であり、一部が異なるのみであるのでその点のみを述べる。
異なるのは、取付開始時点で、壁面ｗに仮止めした天井ボード仮固定具２０と所定の桟ｓに係止した天井ボード補助支持具１への天井ボードＰのセットの手順、及びその後の直前に固定した天井ボードＰの端部に仮止めした天井ボード仮固定具２０とこれから天井ボードＰ一枚分だけ離れた位置の桟ｓに係止した天井ボード補助支持具１への天井ボードＰのセットの手順である。
【００７９】
いずれも基本的に同一であるが、分かりやすくする趣旨で別々に説明することとし、前者から説明する。
この場合は、まず、天井ボードＰの一端を、壁面ｗに仮固定した天井ボード仮固定具２０の補助支持板部２３に載置し、その後、その天井ボードＰの他端を、一時、桟ｓに係止した天井ボード補助支持具１１の最下部の受け部１５に載せ、次いで、該他端をスライド案内部１４をスライドさせて上昇させ、端部載置部１３に載せるという手順で作業を行うことができる。
或いは、逆に、天井ボードＰの他端を、まず最初に該受け部１５に載せ、他端側を安定させた上で、その後、一端側を、天井ボード仮固定具２０の補助支持板部２３に載せ、更にその後に、該受け部１５に載っている他端をスライド案内部１４をスライド上昇させて端部載置部１３に載せるという手順を取ることもできる。
これらの手順の前及び後の手順は、実施例１で述べた通りである。
【００８０】
後者の場合も同様である。まず、天井ボードＰの一端を、直前に取り付けた天井ボードＰの先端側に仮固定した天井ボード仮固定具２０の導入傾斜板部２４及び基板部２２の一部に載置し、その後、その天井ボードＰの他端を、一時、桟ｓに係止した天井ボード補助支持具１１の最下部の受け部１５に載せ、次いで、該他端をスライド案内部１４をスライドさせて上昇させ、端部載置部１３に載せるという手順で作業を行うことができる。
或いは、逆に、天井ボードＰの他端を、まず最初に該受け部１５に載せ、他端側を安定させた上で、その後、一端側を、天井ボード仮固定具２０の導入傾斜板部２４及び基板部２２の一部に載せ、更にその後に、該受け部１５に載っている他端をスライド案内部１４をスライド上昇させて端部載置部１３に載せるという手順を取ることもできる。
これらの手順の前及び後の手順は、実施例１で述べた通りである。
【図面の簡単な説明】
【００８１】
【図１】(a)は実施例１の天井ボード補助支持具の正面図、(b)は背面図、(c)は右側面図。
【図２】(a)は実施例１の天井ボード補助支持具及び天井ボード仮固定具を用いて、壁面に接する部位への天井ボードの取り付け状態を示した説明図、(b)は壁面以外の部位での天井ボードの取り付け状態を示した説明図、(c)は天井ボードの該当端部を天井ボード補助支持具のスライド案内部をスライドさせて端部載置部に載せる過程を示した説明図、(d)は天井ボードの該当端部を天井ボード補助支持具のスライド案内部をスライドさせて端部載置部に載せた状態を示した説明図。
【図３】(a)は実施例２の天井ボード補助支持具の正面図、(b)は背面図、(c)は右側面図。
【図４】(a)は実施例２の天井ボード補助支持具及び天井ボード仮固定具を用いて、壁面以外の部位での天井ボードの取り付け状態を示した説明図、(b)は天井ボードの該当端部を天井ボード補助支持具の最下部の受け部に載せ、次いで、スライド案内部をスライドさせて端部載置部に載せる過程を示した説明図、(c)は天井ボードの該当端部を天井ボード補助支持具の最下部の受け部に載せた後、スライド案内部をスライドさせて端部載置部に載せた状態を示した説明図。
【図５】(a)は天井ボードの一端を支持するため壁面に仮固定した１対の天井ボード仮固定具の概略斜視説明図、(b)は天井ボード仮固定具を壁面に仮固定して天井ボードの一端を支持した状態を示す説明図、(c)は壁面に当接して取り付けた天井ボードに繋ぐ新たな天井ボードの一端を天井ボード仮固定具で支持した状態を示す説明図。
【図６】(a)は天井ボード仮固定具の側面図、(b)はその平面図。
【符号の説明】
【００８２】
１    天井ボード補助支持具
２    係止部
２ａ  短垂下片
２ｂ  長垂下片
２ｃ  天板片
３    端部載置部
４    スライド案内部
１１  天井ボード補助支持具
１２  係止部
１３  端部載置部
１４  スライド案内部
１５  受け部
２０  天井ボード仮固定具
２１  係止孔
２２  基板部
２３  補助支持板部
２３ａ  導入部
２４  導入傾斜板部
２５  フック
Ｄ    電動ドライバ
Ｐ    天井ボード
Ｔ    野縁
ｓ    桟
ｖ    ビス
ｗ    壁面
【図１】
0003145303.tif 000003
【図２】
0003145303.tif 000004
【図３】
0003145303.tif 000005
【図４】
0003145303.tif 000006
【図５】
0003145303.tif 000007
【図６】
0003145303.tif 000008